(57)【要約】【課題】  簡単な構成で複数部数のコピーを１部毎に排出トレイ上で識別可能に排出するソータを接続しない画像形成装置を提供する。【解決手段】  軸方向に前排出ローラ１３ｃ１と後排出ローラ１３ｃ２、及びこれに圧接し従動回転する前排出コロ１３ｄ１と後排出コロ１３ｄ２が軸方向に直列に配列され、前排出ローラ１３ｃ１はモータ１６ａ１で、後排出ローラ１３ｃ２はモータ１６ａ２で駆動される。記録紙Ｐの後端が定着部のニップ部を離脱したとき、前排出ローラ１３ｃ１と後排出ローラ１３ｃ２とを異なる周速度で駆動し、記録紙Ｐを基準排出方向に対して傾斜して排出する。１部のコピー終了毎に前排出ローラ１３ｃ１と後排出ローラ１３ｃ２の回転速度との大小関係を切り換えることで排出トレイ上に複数部数コピーが基準排出方向に対してそれぞれ異なる方向に傾斜排出され、複数部数のコピーの識別が容易になる。【選択図】        図２
2009069464.tif 000002
【特許請求の範囲】
【請求項１】
ソートモードで複数部数のコピーを作成することができる画像形成装置の記録紙後処理装置において、
排出トレイの上流側に記録紙搬送方向に垂直な方向に伸びる軸線に沿って直列に配置され、それぞれ独立の駆動源により駆動される第１及び第２の排出ローラと、
前記第１の排出ローラの回転に従動する第１の排出コロ及び第２の排出ローラの回転に従動する第２の排出コロとを備え、
前記第１の排出ローラの周速度と第２の排出ローラの周速度とをソートモードで作成する１部のコピーが終了する毎に変更し、前記排出トレイ上に排出される複数部数のコピーを部数単位で識別可能にすること
を特徴とする記録紙後処理装置。
【請求項２】
前記記録紙後処理装置は、ソートモードで作成する１部数のコピーが終了する毎に、前記第１の排出ローラの周速度を第２の排出ローラの周速度よりも高速に変更して前記排出トレイ上に排出される複数部数のコピーの基準排出方向に対する傾斜角をコピー数１部毎に変更し、複数部数のコピーを部数単位で識別可能にすること
を特徴とする請求項１に記載の記録紙後処理装置。
【請求項３】
前記排出トレイ上に排出される複数部数のコピーの基準排出方向に対する傾斜角は、基準排出方向に対して左に傾斜或いは右に傾斜する傾斜角であること
を特徴とする請求項２に記載の記録紙後処理装置。
【請求項４】
前記排出トレイ上に排出される複数部数のコピーの基準排出方向に対する傾斜角は、基準排出方向に対して左又は右に順次増加する傾斜角であること
を特徴とする請求項２に記載の記録紙後処理装置。
【請求項５】
前記排出トレイ上に排出される複数部数のコピーの基準排出方向に対する傾斜角は、基準排出方向に対して記録紙サイズに応じた傾斜角であること
を特徴とする請求項２に記載の記録紙後処理装置。
【請求項６】
前記記録紙後処理装置は、ソートモードで作成する１部数のコピーが終了する毎に、記録紙の厚みに応じて前記第１の排出ローラの周速度と第２の排出ローラの周速度とを変更して前記排出トレイ上に排出される複数部数のコピーの基準排出方向に対する搬送位置をずらし、複数部数のコピーを部数単位で識別可能にすること
を特徴とする請求項１に記載の記録紙後処理装置。
【請求項７】
前記記録紙後処理装置は、前記排出トレイ上にホールドレバーを備え、当該ホールドレバーは、排出トレイ上に排出される複数部数のコピーを上から押さえる作動位置と退避位置に設定可能であること
を特徴とする請求項１に記載の記録紙後処理装置。
【請求項８】
前記記録紙後処理装置は、前記第１及び第２の排出ローラの記録紙搬送方向下流側にリブを備え、当該リブは、排出トレイ上に基準排出方向に対して傾斜して排出される記録紙の周縁角部を係止する複数の切欠を備えること
を特徴とする請求項１に記載の記録紙後処理装置。
【請求項９】
前記記録紙後処理装置は、前記第１又は第２の排出コロを前記第１又は第２の排出ローラとの圧接位置と離間位置へ選択設定できる離間レバーを備えること
を特徴とする請求項１に記載の記録紙後処理装置。
【発明の詳細な説明】
【技術分野】
【０００１】
この発明は、複写機、プリンタ等の画像形成装置の記録紙収納装置に関する。
【背景技術】
【０００２】
複写機、プリンタ等の画像形成装置は、画像読取部、作像部、給紙部、定着部、排出トレイ等の機能ユニットから構成され、最終的に画像が形成された記録紙は排出トレイに排出される。排出トレイには、排出された記録紙を外部から容易に視認できるようにスリットを設けたものが提案されている。
【０００３】
これは、排出された大判の記録紙を略垂直に収納するポケット状の排出トレイであり、記録紙がポケット状の排出トレイに排出されると、大サイズの記録紙であれば記録紙の後縁がポケットの上縁から突出して外部から容易に視認できるが、小サイズの記録紙では、記録紙の後縁がポケットの上縁よりも下になってしまう場合があり、外部から容易に視認できない場合がある。
【０００４】
この対策として、ポケット状の排出トレイの外側面にスリットを設け、ポケットに収納された記録紙の状態を外部から容易に視認することができるように構成したものが提案されている（引用文献１参照）。
【特許文献１】特開２００１−１１７３００号公報
【発明の開示】
【発明が解決しようとする課題】
【０００５】
上記した外部から容易に視認できるように構成された排出トレイは、大判の記録紙を略垂直に収納する排出トレイでは有効であるが、通常のサイズの記録紙を使用し、画像形成装置の胴内に排出トレイを備えた構成のものでは、排出トレイに外部から視認できるような位置にスリットを設けることができない。
【０００６】
また、排出された記録紙を仕分けるソータを接続しない画像形成装置では、複数部数のコピーを作成した場合は、手作業で複数部に仕分ける繁雑な作業が必要であった。
【０００７】
図９は、従来のソータを接続しない画像形成装置１００の構成の一例を説明する正面図であって、画像形成装置１００は、下から順に給紙部１０１、作像部１０２、定着部１０３、排出トレイ１０４が配置され、画像形成装置１００の上には画像読取部１０５が配置されている。定着部１０３は、定着ローラ１０３ａ、加圧ローラ１０３ｂ、排出ローラ１０３ｃ、排出コロ１０３ｄを備えている。給紙部１０１、作像部１０２、定着部１０３等は公知の構成である。
【０００８】
画像形成装置１００による画像形成動作を簡単に説明する。画像読取部１０５の原稿台上に置かれた原稿がスキャナで読み取られ、画像信号が作像部１０２に出力される。作像部１０２では、均一に帯電された感光体の上に画像信号で変調されたレーザ光が投射され、画像潜像が形成される。画像潜像は現像装置に装填されたトナーで現像され、感光体の上にトナー像が形成される。感光体上に形成されたトナー像は給紙部１０１から搬送された記録紙Ｐの上に転写され、定着部１０３の定着ローラ１０３ａと加圧ローラ１０３ｂの間を通過させて定着処理される。トナー像が定着処理されて画像の形成された記録紙Ｐは、排出ローラ１０３ｃと排出コロ１０３ｄとにより搬送され、排出トレイ１０４の上に排出される。以上で、一枚の画像形成動作が終了するから、複数枚の原稿画像からコピー部数１だけ作成するには上記動作を原稿画像の枚数だけ繰り返すことになる。
【０００９】
以上は複数枚の原稿画像からコピーを１部（コピー部数１）だけ作成する場合であるが、複数枚の原稿画像から複数部数（ｎ部数）のコピーを作成する場合は、上記動作を複数部数（ｎ部数）に対応したｎ回繰り返すことになる。
【００１０】
従来のソータを接続しない画像形成装置１００の構成において、複数部数のコピーを作成した場合、排出トレイ１上の記録紙の状態は、図９に示すように複数部数（ここではＡ部、Ｂ部、Ｃ部）が単純に積層されて排出されるから、手作業でＡ部、Ｂ部、Ｃ部の複数部数に仕分ける繁雑な作業が必要であった。この発明は上記した種々の課題を解決することを目的とするものである。
【課題を解決するための手段】
【００１１】
この発明は上記課題を解決するもので、請求項１の発明は、ソートモードで複数部数のコピーを作成することができる画像形成装置の記録紙後処理装置において、排出トレイの上流側に記録紙搬送方向に垂直な方向に伸びる軸線に沿って直列に配置され、それぞれ独立の駆動源により駆動される第１及び第２の排出ローラと、前記第１の排出ローラの回転に従動する第１の排出コロ及び第２の排出ローラの回転に従動する第２の排出コロとを備え、前記第１の排出ローラの周速度と第２の排出ローラの周速度とをソートモードで作成する１部のコピーが終了する毎に変更し、前記排出トレイ上に排出される複数部数のコピーを部数単位で識別可能にすることを特徴とする記録紙後処理装置である。
【００１２】
そして、前記記録紙後処理装置は、ソートモードで作成する１部数のコピーが終了する毎に、前記第１の排出ローラの周速度を第２の排出ローラの周速度よりも高速に変更して前記排出トレイ上に排出される複数部数のコピーの基準排出方向に対する傾斜角をコピー数１部毎に変更し、複数部数のコピーを部数単位で識別可能に排出する。
【００１３】
そして、前記排出トレイ上に排出される複数部数のコピーの基準排出方向に対する傾斜角は、基準排出方向に対して左に傾斜或いは右に傾斜する傾斜角である。
【００１４】
また、前記排出トレイ上に排出される複数部数のコピーの基準排出方向に対する傾斜角は、基準排出方向に対して左又は右に順次増加する傾斜角とすることもできる。
【００１５】
また、前記排出トレイ上に排出される複数部数のコピーの基準排出方向に対する傾斜角は、基準排出方向に対して記録紙サイズに応じた傾斜角とすることもできる。
【００１６】
また、前記記録紙後処理装置は、ソートモードで作成する１部数のコピーが終了する毎に、記録紙の厚みに応じて前記第１の排出ローラの周速度と第２の排出ローラの周速度とを変更して前記排出トレイ上に排出される複数部数のコピーの基準排出方向に対する搬送位置をずらし、複数部数のコピーを部数単位で識別可能にすることもできる。
【００１７】
そして、前記記録紙後処理装置は、前記排出トレイ上にホールドレバーを備えることができる。当該ホールドレバーは、排出トレイ上に排出される複数部数のコピーを上から押さえる作動位置と退避位置に設定可能である。
【００１８】
また、前記記録紙後処理装置は、前記第１及び第２の排出ローラの記録紙搬送方向下流側にリブを備えることができる。当該リブは、排出トレイ上に基準排出方向に対して傾斜して排出される記録紙の周縁角部を係止する複数の切欠を備えるものとする。
【００１９】
前記記録紙後処理装置は、前記第１又は第２の排出コロを前記第１又は第２の排出ローラとの圧接位置と離間位置へ選択設定できる離間レバーを備えることができる。
【発明の効果】
【００２０】
この発明によれば、ソータを接続しない画像形成装置においても、簡単な構成で複数部数のコピーを、複数部数毎に排出トレイ上で識別可能に排出することができ、ソータを接続するなどの費用をかけずにコピー作業を効率的に行うことができる。
【発明を実施するための最良の形態】
【００２１】
図１は、この発明を実施した画像形成装置の構成の一例の概略を説明する正面図であって、先に説明した従来のソータを接続しない画像形成装置１００の構成と類似した構成を備えているが、排出ローラが専用のモータで駆動されるように構成されている点で相違する。
【００２２】
画像形成装置１０は、下から順に給紙部１１、作像部１２、定着部１３、排出トレイ１４が配置され、画像形成装置１０の上には画像読取部１５が配置されている。定着部１３は、定着ローラ１３ａ、加圧ローラ１３ｂの他、排出ローラ１３ｃ、排出コロ１３ｄから構成される。
【００２３】
なお、後述するように、排出ローラ１３ｃは前排出ローラ１３ｃ１及び後排出ローラ１３ｃ２から構成され、前排出ローラ１３ｃ１はモータ１６ａ１で駆動され、後排出ローラ１３ｃ２はモータ１６ａ２でそれぞれ独立に駆動される。
【００２４】
また、排出コロ１３ｄは前排出コロ１３ｄ１及び後排出コロ１３ｄ２から構成されており、前排出コロ１３ｄ１と後排出コロ１３ｄ２は、それぞれ前排出ローラ１３ｃ１と後排出ローラ１３ｃ２と接触配置されており、前排出コロ１３ｄ１は接触している前排出ローラ１３ｃ１の回転に従動して回転し、後排出コロ１３ｄ２は接触している後排出ローラ１３ｃ２の回転に従動して回転するように構成されている。
【００２５】
以下の説明では、単に排出ローラ１３ｃ又は排出ローラというときは、前排出ローラ１３ｃ１及び後排出ローラ１３ｃ２を含めて指すものとし、また、単に排出コロ１３ｄ又は排出コロというときは、前排出コロ１３ｄ１及び後排出コロ１３ｄ２を含めて指すものとする。なお、ここで「前」とは画像形成装置の正面からみて手前側を指し、「後」とは画像形成装置の正面からみて奥側を指すものとする。以下の説明においても同じ。
【００２６】
図２は、図１に示す画像形成装置１０の排出トレイ１４と関連する構成部分の平面図である。図２に示すように、排出ローラ１３ｃは、軸方向に前排出ローラ１３ｃ１と後排出ローラ１３ｃ２の２本が軸方向に直列に配列されており、前排出ローラ１３ｃ１はモータ１６ａ１で駆動され、後排出ローラ１３ｃ２はモータ１６ａ２で駆動される。
【００２７】
また、図２では示されていないが、排出コロ１３ｄも、前排出コロ１３ｄ１と後排出コロ１３ｄ２の２本が軸方向に直列に配列されており、前排出コロ１３ｄ１と後排出コロ１３ｄ２は、それぞれ前排出ローラ１３ｃ１と後排出ローラ１３ｃ２と接触配置されており、前排出コロ１３ｄ１は前排出ローラ１３ｃ１の回転に従動して回転し、後排出コロ１３ｄ２は後排出ローラ１３ｃ２の回転に従動して回転するように構成されている。
【００２８】
定着部１３において圧接配置された定着ローラ１３ａと加圧ローラ１３ｂから搬出された記録紙Ｐは、前排出ローラ１３ｃ１と前排出コロ１３ｄ１、及び後排出ローラ１３ｃ２と後排出コロ１３ｄ２とに挟持されて排出トレイ１４に向けて搬送される。
【００２９】
このとき、記録紙Ｐの後端が、定着ローラ１３ａと加圧ローラ１３ｂとの接触ニップ部を離脱したとき、図示しない制御装置によりモータ１６ａ１及びモータ１６ａ２を駆動制御して、前排出ローラ１３ｃ１の回転速度（周速度）と後排出ローラ１３ｃ２との回転速度（周速度）を異なるように駆動するときは、記録紙Ｐを基準排出方向（前排出ローラ１３ｃ１の回転速度と後排出ローラ１３ｃ２の回転速度とが等しい場合の記録紙排出方向）に対して傾斜して排出することができる。
【００３０】
前排出ローラ１３ｃ１の回転速度（周速度）と後排出ローラ１３ｃ２との回転速度（表面度）を等しい速度で駆動することもできることは言うまでもない。前排出ローラ１３ｃ１の直径と後排出ローラ１３ｃ２の直径は等しく構成されているから、両者の回転速度が等しいときは周速度も等しくなる。
【００３１】
以下の説明では、前排出ローラ１３ｃ１と後排出ローラ１３ｃ２の速度について「回転速度」という場合は周速度を指すものとする。また、「コピー」とは複数枚の原稿画像からなる１組を記録した複数枚の記録紙の束を「コピー」と呼ぶものとする。
【００３２】
即ち、前排出ローラ１３ｃ１の回転速度を後排出ローラ１３ｃ２の回転速度より遅くすることで、記録紙Ｐ１のように、排出トレイ１４上に排出された記録紙Ｐを基準排出方向に対して傾斜して排出させ、或いは後排出ローラ１３ｃ２の回転速度を前排出ローラ１３ｃ１の回転速度より遅くすることで、記録紙Ｐ２のように、排出トレイ１４上に排出された記録紙Ｐを、記録紙Ｐ２のように、基準排出方向に対して傾斜して排出させることができる。
【００３３】
複数部数のコピーをソートモードで作成する場合は、１部のコピーが終了する毎に、前排出ローラ１３ｃ１の回転速度と後排出ローラ１３ｃ２の回転速度との大小関係を切り換えることで、排出トレイ上の複数部数のコピーが、基準排出方向に対して交互に異なる方向に傾斜して排出され、複数部数のコピーの識別が容易になる。
【００３４】
図３は、記録紙Ｐの傾斜角を説明する図である。記録紙Ｐの後端が、定着ローラ１３ａと加圧ローラ１３ｂとの接触ニップ部を離脱したとき、後排出ローラ１３ｃ２の回転速度を前排出ローラ１３ｃ１の回転速度よりも速くすることで、記録紙Ｐを排出トレイ１４の上で傾斜させることができる。その時の傾斜角θは以下の式（１）で表すことができる。
【００３５】
ｔａｎθ＝｛（Ｖ１−Ｖ２）×Ｌ１／Ｖ１｝／Ｌ２・・・・・（１）
但し、θ：記録紙Ｐの搬送方向と垂直な方向に対する傾斜角
Ｖ１：後排出ローラ１３ｃ２の回転速度（周速度）
Ｖ２：前排出ローラ１３ｃ１の回転速度（周速度）
Ｌ１：定着ローラ１３ａと加圧ローラ１３ｂとの接触ニップ部を
離脱した位置から排出コロ１３ｄの中心線までの距離
Ｌ２：前排出ローラ１３ｃ１と後排出ローラ１３ｄ２とが
記録紙Ｐの搬送に作用する搬送力の間隔（平均間隔）。
【００３６】
ここで、画像形成装置１０による画像形成動作を簡単に説明する。画像読取部１５の原稿台上に置かれた原稿がスキャナで読み取られ、画像信号が作像部１２に出力される。作像部１２では、均一に帯電された感光体の上に画像信号で変調されたレーザ光が投射され、画像潜像が形成される。画像潜像は現像装置に装填されたトナーで現像され、感光体の上にトナー像が形成される。感光体の上にトナー像は給紙部１１から搬送された記録紙の上に転写され、定着部１３の定着ローラ１３ａと加圧ローラ１３ｂの間を通過させて定着処理される。トナー像が定着処理されて画像の形成された記録紙Ｐは、排出ローラ１３ｃと排出コロ１３ｄとにより搬送され、排出トレイ１４の上に排出される。
【００３７】
記録紙Ｐを排出トレイ１４の上に排出するとき、前記したように、後排出ローラ１３ｃ２の回転速度を前排出ローラ１３ｃ１の回転速度よりも速くするときは、排出トレイ１４上での記録紙Ｐを基準排出方向に対して傾斜させ、記録紙Ｐ１のように傾斜させて排出させることができる。
【００３８】
図４は、サイズの異なる記録紙を使用し、複数部数のコピーをソートモードで作成する場合における、記録紙Ｐの排出トレイ１４の上での傾斜角θの変更による複数部数のコピーの識別を容易にした例を説明する図である。
【００３９】
即ち、複数部数のコピーを作成する場合は、１部（複数枚）をコピーする毎に、モータ１６ａ１とモータ１６ａ２の駆動速度を調整し、前排出ローラ１３ｃ１の回転速度と後排出ローラ１３ｃ２の回転速度を変更して記録紙Ｐの傾斜角θを変更する。
【００４０】
大サイズの記録紙、例えばＡ３サイズの記録紙Ｐ３を使用するコピーの場合は傾斜角を小さく、例えばθ＝５°に設定し、小サイズの記録紙Ｐ４を使用するコピーの場合は傾斜角を大きくし例えばθ＝２０°に設定する。これにより、排出され積層された小サイズの記録紙Ｐ４の端部は、排出され積層された大サイズの記録紙Ｐ３の側縁から突出し、複数部数のコピーを容易に識別することができる。
【００４１】
図５は、同じサイズの記録紙を使用し、複数部数のコピーをソートモードで作成する場合の、記録紙Ｐの排出トレイ１４の上での傾斜角の変更による複数部数のコピーの識別を容易にした例を説明する図である。
【００４２】
即ち、複数部数のコピーをソートモードで作成する場合は、１部（複数枚）をコピーする毎にモータ１６ａ１とモータ１６ａ２の駆動速度を調整し、前排出ローラ１３ｃ１の回転速度と後排出ローラ１３ｃ２の回転速度を変更して記録紙Ｐの傾斜角θを変更する。
【００４３】
例えば、第１部の記録紙ＰＡについては傾斜角θ＝１０°に設定し、第２部の記録紙ＰＢについては傾斜角θ＝５°に設定し、第３部の記録紙Ｃについては傾斜角θ＝０°に設定する。これにより、積層された記録紙ＰＡ、ＰＢ、ＰＣの端部は順次ずれ、複数部数のコピーを容易に識別することができる。
【００４４】
以上は、定着部１３で定着処理された記録紙を排出トレイ１４の上に排出するとき、排出トレイ１４の上での傾斜角を変更して複数部数のコピーの識別を容易にした例である。排出トレイ１４の上に傾斜角の異なる複数部数のコピーが排出されるとき、積層された記録紙の位置がずれると、折角異なる傾斜角を付けて排出した複数部数のコピーの識別が困難になる。
【００４５】
図６は、図１に示す画像形成装置において、排出トレイ１４の上にホールドレバー１８を設けた画像形成装置の正面図である。この構成によれば、排出トレイ１４の上に排出された記録紙はホールドレバー１８により上から押さえられ、排出積層された記録紙の位置のずれを防止することができる。
【００４６】
排出トレイ１４に排出された記録紙を押さえる必要がない場合、例えば、ソートモードでのコピーでないような場合は、ホールドレバー１８を退避位置に移動させる。このために、ホールドレバー１８には、ソレノイド１９ａと復帰スプリング１９ｂから構成される駆動機構が付設され、図示しないスイッチの操作によりホールドレバー１８を作動位置と退避位置とに選択設定できるように構成されている。
【００４７】
図７は、図１に示す画像形成装置において、排出された傾斜角の異なる複数部数のコピーの位置を保持するリブ２０を備えた排出トレイ１４とその付近の構成を説明する平面図である。
【００４８】
リブ２０は、複数の切欠２０ａ、２０ｂ、２０ｃ、２０ｄが形成された厚みのある板状の部材であって、前排出ローラ１３ｃ１と後排出ローラ１３ｃ２の記録紙搬送方向下流側に接近して配置される。
【００４９】
前排出ローラ１３ｃ１及び後排出ローラ１３ｃ２から傾斜角の異なる複数部数のコピーが排出されるとき、第１の傾斜角θ１の複数枚の記録紙Ｐ１の搬送方向後端の角ＰＸ１がリブ２０の切欠２０ａに係止されて順次積層され、第２の傾斜角θ２の複数枚の記録紙Ｐ２の搬送方向後端の角ＰＸ２がリブ２０の切欠２０ｄに係止されて順次積層される。
【００５０】
これにより、排出トレイ１４上に排出された第１の傾斜角θ１の複数枚の記録紙Ｐ１と、第２の傾斜角θ２の複数枚の記録紙Ｐ２とは、確実にその傾斜角が維持された状態で積層され、複数部数のコピーを容易に識別することができる。
【００５１】
先に、記録紙Ｐを排出トレイ１４の上に排出するとき、後排出ローラ１３ｃ２の回転速度を前排出ローラ１３ｃ１の回転速度よりも速くすることで、記録紙Ｐを排出トレイ１４の上で傾斜させる例を説明した。以下説明する構成では、前排出ローラ１３ｃ１に圧接する前排出コロ１３ｄ１を前排出ローラ１３ｃ１から離間させることで、前排出ローラ１３ｃ１と前排出コロ１３ｄ１との圧接による記録紙Ｐの搬送を停止し、後排出ローラ１３ｃ２と後排出コロ１３ｄ２との圧接のみで記録紙Ｐを搬送するように構成し、記録紙Ｐを排出トレイ１４の上で傾斜させることができる。
【００５２】
図８は、図１に示す画像形成装置において、前排出コロ１３ｄ１を前排出ローラ１３ｃ１から離間させる構成を付設した画像形成装置の正面図である。付設された前排出コロ１３ｄ１を前排出ローラ１３ｃ１から離間させる構成は、装置本体に固定されたフレーム２５に支点２７の回りに揺動自在に離間レバー２６が保持され、離間レバー２６の一端にはフレーム２５を上から下に貫通するガイドピン３０が取り付けられ、離間レバー２６の他端には離間ソレノイド２８が取り付けられた構成である。
【００５３】
ガイドピン３０の先端には、前排出コロ１３ｄ１の表面に接触するパッド３１が装着され、パッド３１とフレーム２５のガイドピン３０が貫通する部分の間には圧接ばね３２が装着されており、通常の状態では、パッド３１は圧接ばね３２の付勢力により前排出コロ１３ｄ１を前排出ローラ１３ｃ１に向けて圧接させ、前排出ローラ１３ｃ１の回転により前排出コロ１３ｄ１も従動回転して記録紙Ｐを排出トレイ１４に向けて排出する。
【００５４】
前排出コロ１３ｄ１を前排出ローラ１３ｃ１から離間させるときは、離間ソレノイド２８に通電し、離間レバー２６を支点２７の回りに図８で時計方向に回動させる。ガイドピン３０が図８で上方向に移動し、パッド３１は圧接ばね３２の付勢力に抗して上方向に移動し、パッド３１は前排出コロ１３ｄ１の表面から離間し、前排出コロ１３ｄ１も前排出ローラ１３ｃ１から離間する。
【００５５】
これにより、定着部１３から搬送された記録紙Ｐは、後排出ローラ１３ｃ２と後排出コロ１３ｄ２との圧接のみで排出トレイ１４に搬送されるから、記録紙Ｐは排出トレイ１４の基準排出方向に対して傾斜して排出される。
【００５６】
以上説明した構成は、定着部１３で定着処理された記録紙を排出トレイ１４に排出するとき、排出ローラ１３ｃの回転速度を調整し、トレイ１４の基準排出方向に対して傾斜して排出する構成であるが、排出ローラ１３ｃの回転速度を調整する構成を利用して紙質に応じて回転速度を調整し、排出トレイ上で記録紙を紙質に応じたソートを行ったり、また、排出紙のしわの発生の防止等を行うこともできる。
【００５７】
即ち、定着部１３で定着処理された記録紙の搬送速度に対し、標準の厚さの記録紙（標準記録紙）に対して、厚さの薄い記録紙（薄紙記録紙）については排出ローラ１３ｃの回転速度を高く、厚さの厚い記録紙（厚紙記録紙）については排出ローラ１３ｃの回転速度を低く設定する。
【００５８】
例えば、定着部から搬送される記録紙の標準搬送速度を１としたとき、標準記録紙については搬送速度を１．１倍、薄紙記録紙については搬送速度を１．１５倍、厚紙記録紙については搬送速度を１．０５倍とする。
【００５９】
これにより、薄紙記録紙、標準記録紙、厚紙記録紙を、記録紙の厚みに応じて排出トレイ１４上にソートして排出することが可能となる。
【００６０】
また、前排出ローラ１３ｃ１と後排出ローラ１３ｃ２の回転速度の差を可変とする場合でも、薄紙の場合、通紙方向と紙漉きの時の繊維の方向が一致する場合、高温高湿環境での通紙が多いような場合には、前排出ローラ１３ｃ１と後排出ローラ１３ｃ２の回転速度の差をソート可能な範囲で最小とするとよい。これにより、回転速度の差による記録紙に与えるストレスを最小とし、紙皺の発生を抑制することができる。
【産業上の利用可能性】
【００６１】
簡単な構成で複数部数のコピーを各部毎に排出トレイ上で識別可能に排出することができるソータを接続しない画像形成装置である。
【図面の簡単な説明】
【００６２】
【図１】この発明を実施した画像形成装置の構成の一例の概略を説明する正面図。
【図２】図１に示す画像形成装置の排出トレイと関連する構成部分を説明する平面図。
【図３】記録紙の傾斜角を説明する図。
【図４】サイズの異なる記録紙を使用して複数部数のコピーを作成する場合の記録紙の傾斜角を変更して複数部数のコピーの識別を容易にした例を説明する図。
【図５】同じサイズの記録紙を使用して複数部数のコピーを作成する場合の記録紙の傾斜角を変更して複数部数のコピーの識別を容易にした例を説明する図。
【図６】図１に示す画像形成装置に設けられたホールドレバーを説明する正面図。
【図７】傾斜角の異なる複数部数のコピー位置を保持するリブを備えた排出トレイと関連する構成部分を説明する平面図。
【図８】図１に示す画像形成装置に、前排出コロを前排出ローラから離間させる構成を付設した画像形成装置の正面図。
【図９】従来のソータを接続しない画像形成装置の構成の一例を説明する正面図。
【符号の説明】
【００６３】
１０  画像形成装置
１１  給紙部
１２  作像部
１３  定着部
１３ａ  定着ローラ
１３ｂ  加圧ローラ
１３ｃ  排出ローラ
１３ｃ１  前排出ローラ
１３ｃ２  後排出ローラ
１３ｄ  排出コロ
１３ｄ１  前排出コロ
１３ｄ２  後排出コロ
１４  排出トレイ
１５  画像読取部
１６ａ１  モータ
１６ａ２  モータ  
１８  ホールドレバー
１９ａ  ソレノイド
１９ｂ  復帰スプリング
２０  リブ
２０ａ、２０ｂ、２０ｃ、２０ｄ  切欠
２５  フレーム
２６  離間レバー
２７  支点
２８  離間ソレノイド
３０  ガイドピン
３１  パッド
３２  圧接ばね
【図１】
2009069464.tif 000003
【図２】
2009069464.tif 000004
【図３】
2009069464.tif 000005
【図４】
2009069464.tif 000006
【図５】
2009069464.tif 000007
【図６】
2009069464.tif 000008
【図７】
2009069464.tif 000009
【図８】
2009069464.tif 000010
【図９】
2009069464.tif 000011